(57)【要約】【目的】  本発明は、浴槽、流し台、自動車の洗い具、ワックスがけ具として、また衣類、ソファー、カーペット、自動車の座席等の繊維構造物に付着した埃、ペットの抜け毛等のゴミを補足するゴミ取り具として有用なスポンジ清掃具を提供する。【構成】  スポンジ清掃具は、窪み部１１と頂部１２とを千鳥格子状に互い違いに配置して摺擦面１０を形成したポリウレタンフォームの裁断品よりなる清掃具であって、窪み部は碁盤の目毎にすり鉢状に形成してあり、頂部の表面は平面又はゆるやかな弧状の曲面に形成してある構成である。【選択図】  図２
2005287531.tif 000002
【特許請求の範囲】
【請求項１】
窪み部と頂部とを千鳥格子状に互い違いに配置して摺擦面を形成したポリウレタンフォームの裁断品よりなる清掃具であって、窪み部はそれぞれがすり鉢状に形成してあり、頂部の表面は平面又はゆるやかな弧状の曲面に形成してあることを特徴とするスポンジ清掃具。
【請求項２】
窪み部が複数の孤立した窪み部で構成されることを特徴とする請求項１記載のスポンジ清掃具。
【請求項３】
頂部と窪み部との面積割合がほぼ同じであることを特徴とする請求項１記載のスポンジ清掃具。
【請求項４】
頂部が複数の孤立した頂部で構成されることを特徴とする請求項１記載のスポンジ清掃具。
【請求項５】
ポリウレタンフォームは、セル膜を除去したものであることを特徴とする請求項１〜４のいずれかに記載のスポンジ清掃具。
【請求項６】
窪み部は、ピン体装置でポリウレタンフォームを裏側より押し上げて表側に突出させたフォーム部分を裁断刃で切り落として形成したものであることを特徴とする請求項１〜５のいずれかに記載のスポンジ清掃具。
【発明の詳細な説明】
【技術分野】
【０００１】
本発明は、浴槽、流し台、自動車の洗い具、ワックスかけ具として、特に衣類、ソファー、カーペット、自動車の座席等の繊維構造物に付着した埃、ペットの抜け毛等のゴミを除去しうる清掃具として有用なスポンジ清掃具に関する。
【背景技術】
【０００２】
カーペット等の繊維構造物に付着したペットの抜け毛を除去するための簡易的な毛取り具として、粘着テープ、ブラシ、あるいはスポンジを利用したもの等が使用されている。しかしながら、粘着テープによるものは、何度も繰り返し使用することが難しく、ブラシによるものは、ブラシに毛がからみつくとその除去に手間がかかることがある。
【０００３】
そこで、スポンジタイプのものが開発されている。すなわち、適当な大きさにカットした断面矩形の平板状のゴム系のスポンジを、抜け毛の付着したカーペット等に擦りつけることにより、抜け毛を絡め取りながら丸めて抜け毛を除去するものである。この方法を用いれば、有効に抜け毛を除去できるが、撚り合わせるように丸められた抜け毛は、スポンジ側に捕捉されるものは少なく、カーペット側に残りやすいものであった。
【０００４】
その他の例として、断面矩形の平板状の軟質ポリウレタンフォームを、抜け毛の付着したカーペット等に擦りつけることにより、抜け毛を軟質発泡ポリウレタンの多数の孔で捕らえるようにし、カーペット上の適宜の箇所にまとめてから除去するものがある。しかしながら、この場合も抜け毛は発泡ポリウレタン側にあまり捕捉されず、カーペット側に残りやすいものであった。
【０００５】
また、自動車、食器の洗い具として、ポリウレタンフォームの表面に凹部を形成したり所謂プロファイル加工による凹凸を形成して、擦り圧力の均質化を図ったり擦り圧力を凸部に集めて汚れ落としの効率を高めた洗浄具も知られている。
【特許文献１】特開２００１−３７９９６号公報
【特許文献２】実用新案登録第３０８０９３３号公報
【特許文献３】実開平６−６３４５３号公報
【発明の開示】
【発明が解決しようとする課題】
【０００６】
本発明は、浴槽、流し台、自動車の洗い具、ワックスがけ具として、また衣類、ソファー、カーペット、自動車の座席等の繊維構造物に付着した埃、ペットの抜け毛等のゴミを補足するゴミ取り具として有用なスポンジ清掃具を提供することを目的とする。
【課題を解決するための手段】
【０００７】
本発明のスポンジ清掃具は、窪み部と頂部とを千鳥格子状に互い違いに配置して摺擦面を形成したポリウレタンフォームの裁断品よりなる清掃具であって、窪み部はそれぞれがすり鉢状に形成してあり、頂部の表面は平面又はゆるやかな弧状の曲面に形成してある構成である。
【０００８】
上記において、本発明のスポンジ清掃具は、窪み部が複数の孤立した窪み部で構成されても良いし、頂部と窪み部との面積割合がほぼ同じであっても良いし、頂部が複数の孤立した頂部で構成されても良い。
【０００９】
また、以上のスポンジ清掃具は、ポリウレタンフォームのセル膜を除去したものであることが好ましい。
【００１０】
さらに、以上のスポンジ清掃具において、窪み部が、ピン体装置でポリウレタンフォームを裏側より押し上げて表側に突出させたフォーム部分を裁断刃で切り落として形成したものであることが好ましい。
【発明の効果】
【００１１】
本発明の清掃具は、窪み部のそれぞれがすり鉢状に形成してあるために、頂部の裾は裾方向に向かって広くなっていることとなり、頂部の土台部分がしっかりとしている。したがって、頂部の表面が平面又はゆるやかな弧状の曲面に形成してあることと相俟って、スポンジ清掃具を浴槽等の清掃対象物に押し付けて擦る際に、頂部の表面は確実に清掃対象物を捕らえ続けるとともに頂部の表面の縁部は清掃対象物との間に適度な引っ掻き力と摩擦力を生むので清掃効率が高い。また、擦り落とした汚れは窪み部に溜まるので、清掃作業を長く続けることもできる。さらに、窪み部と頂部とを千鳥格子状に互い違いに配置して摺擦面を形成しているので、清掃対象物に対してあらゆる方向に擦っても清掃効率が高い。
【００１２】
実施形態のスポンジ清掃具では具体的に以下の効果がある。窪み部を複数の孤立した窪み部で構成する実施形態のものでは、頂部は摺擦面全体に渡って連続することになるために、頂部はさらに補強されてスポンジ清掃具自体が長持ちする。各窪み部は孤立したすり鉢状の窪みであるので、洗剤やその泡、ワックス等を窪み部に長く保持でき清掃効率を高める。
【００１３】
また、別の実施形態のスポンジ清掃具は、頂部と窪み部との面積割合がほぼ同じであるために、頂部の表面の縁部を最も長くすることができるので、引っ掻き力と摩擦力の点において清掃効率が高い。
【００１４】
さらに別の実施形態の形態のスポンジ清掃具は、頂部が複数の孤立した頂部で構成されているので、清掃対象物との摩擦力がアップして清掃効率が高い。窪み部はそれぞれがすり鉢状に形成してあるために、隣接する頂部の間に土手が架設されていることになるので、この形態のスポンジ清掃具も長持ちする。
【００１５】
スポンジ清掃具をポリウレタンフォームのセル膜を除去したものを用いて作製した場合、スポンジ清掃具の表面には、ブラシ状のウレタン骨格が多数現れているので、カーペット等の清掃対象物に擦ると、抜け毛や綿埃等のゴミは束ねられるようにこれらのウレタン骨格によって捕捉される。そして、スポンジ清掃具の表面よりやや内側には、裁断されてない環状の骨格が存在しており、ゴミをこれ以上深く侵入しないようしている（図８参照）。したがって、スポンジ清掃具に捕捉されたゴミは、かすかな力で保持されているに過ぎないので、手で摘んでやると簡単にスポンジ清掃具から取り除いてゴミ箱に捨てることができる。また、頂部の縁部が清掃対象物との間に適度な引っ掻き力や摩擦力を生むのでゴミの補足効率が高い。
【００１６】
窪み部を、ピン体装置でポリウレタンフォームを裏側より押し上げて表側に突出させたフォーム部分を裁断刃で切り落とすことで形成すれば、すり鉢状の窪み部を容易に形成することができる。
【発明を実施するための最良の形態】
【００１７】
本発明のスポンジ清掃具を以下図面に基づいて具体的に説明する。本発明のスポンジ清掃具は、頂部と窪み部とを有して摺擦面が凹凸に形成されたポリウレタンフォームの裁断品よりなり、図１〜図３に示すように頂部１２の表面は平面であり、窪み部１１は頂部の裾が裾方向に向かって広がるように、言い換えると、窪み部は垂直方向の投影面積において開口側が最も広くその底に向かって徐々に狭くなる所謂すり鉢状に形成してある。また、図４に示すように頂部１３の表面はゆるやかな弧状の曲面であっても良い。そして、頂部の表面が平面のものにあっては、頂部が孤立していても各頂部の表面は一平面上に位置しており、同様に頂部の表面が曲面のものにあっては、頂部が孤立していても各頂部の表面は一平面上に位置している。
【００１８】
本発明のスポンジ清掃具の第１実施形態を図１を用いて説明する。スポンジ清掃具１においては、摺擦面１０は、孤立した窪み部１１と、各窪み部の周縁を囲んで摺擦面全体に渡って連続した頂部１２とを千鳥格子状に互い違いに配置して形成してあり、かつ各窪み部がすり鉢状に形成してある。また、互いに隣接する４つの窪み部で囲まれた部位に位置する頂部の表面は広くなっており、この広くなっている部位の頂部の表面の寸法はどの縁間でも１０ｍｍ以上で、縁間の最大が３０ｍｍ以下に形成してある。この広くなっている部位の頂部の表面の大きさが小さいと清掃対象物を捕らえ続けづらくなり、大きさが大きいと窪み部の効果が薄れる。摺擦面の大きさは縦や横が５０〜２００ｍｍ程度である。スポンジ体の厚さは１５〜５０ｍｍ程度である。摺擦面に対する頂部の表面の面積割合は５０％より大きく８０％未満である。なお、本発明で言う面積は、スポンジ清掃具の実表面積ではなく、窪み部に頂部から連続する一平面又は一曲面が存在するものとして、この面の面積を測定した値である。
【００１９】
本発明のスポンジ清掃具の第２実施形態を図２を用いて説明する。スポンジ清掃具２においては、摺擦面１０は、孤立した頂部１２と孤立した窪み部１１とを千鳥格子状に互い違いに配置して形成してあり、かつ各窪み部がすり鉢状に形成してある。また、互いに隣接する４つの窪み部で囲まれた頂部の表面の寸法は、どの縁間でも１０〜３０ｍｍに形成してある。この頂部の表面の大きさが小さいと清掃対象物を捕らえ続けづらくなり、大きさが大きいと窪み部の効果が薄れる。摺擦面の大きさは縦や横が５０〜２００ｍｍ程度である。スポンジ体の厚さは１５〜５０ｍｍ程度である。摺擦面に対する頂部の表面の面積割合は約５０％である。
【００２０】
本発明のスポンジ清掃具の第３実施形態を図３を用いて説明する。スポンジ清掃具３においては、摺擦面１０は、孤立した頂部１２と、各頂部の周縁を囲んで摺擦面全体に渡って連続した窪み部１１とを千鳥格子状に互い違いに配置して形成してある。互いに隣接する４つの頂部で囲まれた部位に位置する窪み部はすり鉢状に形成してあるために、隣接する頂部間には土手１３が架設されている。なお、頂部に対して窪んでいるという意味においては窪み部は摺擦面全体に連続しているが、本発明では土手と頂部とで仕切られた部分に一つの窪み部が存在するものとして表現している。頂部の表面の寸法は、どの縁間でも１０〜３０ｍｍに形成してある。この頂部の表面の大きさが小さいと清掃対象物を捕らえ続けづらくなり、大きさが大きいと窪み部の効果が薄れる。摺擦面の大きさは縦や横が５０〜２００ｍｍ程度である。スポンジ体の厚さは１５〜５０ｍｍ程度である。摺擦面に対する頂部の表面の面積割合は３０％より大きく５０％未満である。
【００２１】
本発明のスポンジ清掃具の第４実施形態を図４を用いて説明する。スポンジ清掃具４は、第１実施形態〜第３実施形態で作製したスポンジ清掃具のうち、いずれか２枚を摺擦面でない方（凹凸面でない方）の側同士で貼り合わせ、その後、周縁１４を熱圧縮によって押し潰して硬くしたものである。したがって、図５の端面説明図に示すように、頂部１３の表面は緩やかな弧状の曲面に形成されている。この曲面の曲率半径は１０ｃｍ以上の緩やかさである。曲率半径を１０ｃｍ未満にすると平坦な面をもつ清掃対象物への対応が難しくなる。このスポンジ清掃具４は、手に持ちやすいばかりでなく、浴槽の凹曲面、自動車座席の凹曲面に対応して清掃作業が容易に行える。
【００２２】
第１実施形態〜第４実施形態のスポンジ清掃具は、頂部の縁（頂部と窪み部の境界線）が摺擦面１００ｃｍ２当たり５０〜２００ｃｍ含まれていることが好ましい。縁の総長が短いと清掃効率の向上があまり期待できず、長いと頂部が細かくなることになり強度が不足してスポンジ清掃具が長持ちしない傾向にある。
【００２３】
以上の実施形態に使用するポリウレタンフォームは、ポリオールと、ジイソシアネートと、発泡剤、製法剤および触媒等の副原料を混合することによって製造される。そしてセル数、密度及び硬さは、混合の際のミキサーの回転数、副原料の量、用いるポリオールの種類を適宜選択することによって所望の性状のポリウレタンフォームを得ることができる。    
【００２４】
スポンジ清掃具を、衣類、ソファー、カーペット、自動車の座席等の繊維構造物に付着した埃、抜け毛等のゴミを除去する用途を目的とする場合は、ポリウレタンフォームのセル膜を除去すると良い。セル膜除去の方法は、水素爆発法（熱で膜部分のみ除去）や溶解法（アルカリ等で膜部分を除去）でも良いし、また、原料配合を調整することによって、ポリウレタンフォームの生成の最終段階でセル膜を破る方法（例えば、ポリエーテルポリオールとポリエステルポリオールを併用し、さらに界面活性剤を調整することで発泡体の通気度を高めるような方法）もある。そして、セル膜除去のポリウレタンフォームは、骨格のみので形成された形態になるが、セル膜残存率が２０％、好ましくは１０％以下であれば毛取り具などの用途に好適である。なお、ここで言うセル膜残存率とは、環状骨格の環の内縁を外周とした多角形の面積のうち、どれだけセル膜が残存しているかで表したものである。そして、この用途では、セル数は２０個／インチ以下の粗いもので、かつ骨格の直径が０．０５〜０．５ｍｍであり、密度が２０〜４０Ｋｇ／m３、硬さが１００〜３００Ｎのポリウレタンフォームを用いることが好ましい（ＪＩＳ−Ｋ６４００）。
【００２５】
次に、スポンジ清掃具のすり鉢状の窪み部を形成する方法について説明する。図６に示すように、貫通孔２１を穿設した基板２０上にポリウレタンフォーム２２をセットし、貫通孔上のフォーム部分をピン体装置２４にて押し込んで、基板の反対側に突出したフォーム部分２３を不図示の裁断刃にて切り落とすことによって、切り落とされた部位の跡にすり鉢状の窪み部が形成される。
【００２６】
また、図６のように、寝具の用途でウレタンフォームに凹凸を付与する所謂プロファイル機２５に、２枚のポリウレタンフォームを重ねて通すことによって、効率よく頂部及びすり鉢状の窪み部を形成することができる。２枚のポリウレタンフォームの厚さを同一とすれば第２実施形態のスポンジ清掃具の材料が２枚得られるし、ポリウレタンフォームの厚さを異にすれば第１実施形態及び第３実施形態のスポンジ清掃具の材料が各１枚得られる。また、２枚のポリウレタンフォームの間に適宜の厚さのポリウレタンフォームを介在させれば、第１実施形態のスポンジ清掃具の材料を２枚得ることが可能となる。なお、プロファイル機２５は、多数のピン体２６を植設した駆動ロール２本を、ロール回転状態において一方のロールのピン体間に他方のロールのピン体が導入されるように配置し、２本のロールのピン体に近接する位置に裁断刃２７を配置してなるもので、適宜の厚さのウレタンフォームを厚さ方向に半裁しながら裁断面に凹凸を付与するものである。
【００２７】
プロファイル機の別の利用の方法として、１枚のポリウレタンフォームをプロファイル機に通して、２枚のポリウレタンフォームのそれぞれに規則的に並んだ窪み部及び凸部とを形成し、その後、凸部を適当な高さで切り落とすことによって頂部を形成することができる。また、凸部を切り落とす際は、２枚のプロファイル裁断済みのポリウレタンフォームをプロファイルした裁断面を重ね合わせて、２枚の中間で裁断すると裁断面を綺麗にすることができる。
【００２８】
以上、本発明のスポンジ清掃具に関して説明したが、第１実施形態〜第３実施形態のスポンジ清掃具では、摺擦面でない方の面に他の性状のことなる素材を張り合わせても良いし、適宜の方法で柄を取り付けても良い。
【産業上の利用可能性】
【００２９】
本発明のスポンジ清掃具は、洗い具、ワックスかけ具、ゴミ取り具等の清掃具として利用可能性が高いものである。
【図面の簡単な説明】
【００３０】
【図１】本発明の第１実施形態のスポンジ清掃具の斜視説明図。
【図２】本発明の第２実施形態のスポンジ清掃具の斜視説明図。
【図３】本発明の第３実施形態のスポンジ清掃具の斜視説明図。
【図４】本発明の第４実施形態のスポンジ清掃具の平面説明図。
【図５】第４実施形態のＡ−Ａ線端面説明図。
【図６】すり鉢状の窪み部の形成方法の説明図。
【図７】すり鉢状の窪み部の形成方法の説明図。
【図８】セル膜除去のポリウレタンフォームの模写図。
【符号の説明】
【００３１】
１    第１実施形態のスポンジ清掃具
２    第２実施形態のスポンジ清掃具
３    第３実施形態のスポンジ清掃具
４    第４実施形態のスポンジ清掃具
１０  摺擦面
１１  窪み部
１２  頂部
１３  頂部
【図１】
2005287531.tif 000003
【図２】
2005287531.tif 000004
【図３】
2005287531.tif 000005
【図４】
2005287531.tif 000006
【図５】
2005287531.tif 000007
【図６】
2005287531.tif 000008
【図７】
2005287531.tif 000009
【図８】
2005287531.tif 000010